(57)【要約】【課題】ユーザにとってより簡易な手法で情報端末との接続を行う。【解決手段】情報端末１０との通信を行う表示制御装置２０であって、通信部２０４と、表示制御装置２０及び情報端末１０を含むローカルエリアネットワーク内において、中継装置３０を介した表示制御装置２０と情報端末１０との通信である第一通信を、通信部２０４に行わせる通信制御部２０１と、表示制御装置２０と情報端末１０との直接の通信である第二通信の接続に必要な情報である接続情報を、第一通信によって情報端末１０から取得する接続情報取得部２０５とを備え、通信制御部２０１は、接続情報取得部２０５が接続情報を取得した場合に、通信部２０４に第一通信を切断させ、かつ、取得した接続情報を用いて第二通信を開始させる。【選択図】図２Ｂ
2015026917.tif 000002
【特許請求の範囲】
【請求項１】
情報端末との通信を行う通信装置であって、
通信部と、
前記通信装置及び前記情報端末を含むローカルエリアネットワーク内において、中継装置を介した前記通信装置と前記情報端末との通信である第一通信を、前記通信部に行わせる通信制御部と、
前記通信装置と前記情報端末との直接の通信である第二通信の接続に必要な情報である接続情報を、前記第一通信によって前記情報端末から取得する接続情報取得部とを備え、
前記通信制御部は、
前記接続情報取得部が前記接続情報を取得した場合に、前記通信部に前記第一通信を切断させ、かつ、取得した前記接続情報を用いて前記第二通信を開始させる
通信装置。
【請求項２】
前記通信装置は、さらに、
前記接続情報を格納可能である記憶部を備え、
前記接続情報取得部は、
（ｉ）前記ローカルエリアネットワーク内で前記情報端末を特定する第一特定情報を前記接続情報として前記情報端末から受信し、（ｉｉ）受信した前記第一特定情報を前記記憶部に格納し、かつ、（ｉｉｉ）前記ローカルエリアネットワーク内で前記通信装置を特定する第二特定情報を前記通信装置に送信し、
前記通信制御部は、
前記情報端末から前記第二通信の接続要求を受信した場合に、前記記憶部に格納された前記第一特定情報に基づいて接続を許可するか否かを判定し、接続を許可すると判定した場合に前記第二通信を開始させる
請求項１に記載の通信装置。
【請求項３】
前記通信制御部は、
前記情報端末から前記第二通信の接続要求を受信した場合であって、前記接続要求の送信元が前記記憶部に格納された前記第一特定情報により特定される装置に一致する場合に、前記接続を許可すると判定する
請求項２に記載の通信装置。
【請求項４】
前記通信装置は、さらに、
前記通信装置が前記ローカルエリアネットワークに接続するための設定を行い、かつ、前記接続情報取得部に前記接続情報を取得させることで、前記通信装置の初期設定を行う初期設定部を備える
請求項１〜３のいずれか１項に記載の通信装置。
【請求項５】
前記接続情報取得部は、
前記第一特定情報を受信した場合に、受信した前記第一特定情報で特定される装置との第二通信の接続を行うか否かについての問い合わせのための情報をユーザに提示し、前記問い合わせに対するユーザの回答に応じて、前記第二通信の接続を制御する
請求項２に記載の通信装置。
【請求項６】
前記接続情報取得部は、
前記問い合わせのための画像をユーザに提示してから所定時間が経過してもユーザの回答が得られない場合に、前記第二通信の接続を行う、又は、前記第二通信の接続を行わない、のうちのいずれか一方と判定する
請求項５に記載の通信装置。
【請求項７】
前記接続情報取得部は、
前記第一特定情報を受信した場合であって、受信した前記第一特定情報で特定される装置が既に前記通信装置と通信したことがある装置である場合に、受信した前記第一特定情報で特定される装置との第二通信の接続を行う
請求項５に記載の通信装置。
【請求項８】
前記情報端末は、画像データを生成し、
前記第二通信は、前記情報端末が生成した画像データを前記通信装置に送信するための通信を含み、
前記通信装置は、さらに、
前記第二通信により前記画像データを受信して、受信した画像データから画像を生成する処理部と、
前記処理部が生成した画像の表示画面への表示を制御する表示制御部とを備える
請求項１〜７のいずれか１項に記載の通信装置。
【発明の詳細な説明】
【技術分野】
【０００１】
本発明は、通信装置に関する。
【背景技術】
【０００２】
情報端末が表示画面に表示している画像を表示装置に転送し、当該画像を表示装置に表示させる技術がある。このような技術の具体例として、小型の表示画面を備えるスマートフォンが表示画面に表示している画像をテレビに転送し、当該画像をテレビに表示させるＭｉｒａｃａｓｔがある。
【０００３】
家庭内の無線ネットワーク（無線ＬＡＮ（Local Area Network））は、通信機器がアクセスポイントに接続することで構成される。つまり、家庭内の無線ＬＡＮに接続する通信機器は、アクセスポイントが提供するネットワークのＩＤ（ネットワークＩＤ）などを用いてアクセスポイントに接続する。これらの機器は、当該無線ＬＡＮに接続された通信機器と通信するときには、アクセスポイントを介して通信を行う。
【０００４】
一方、Ｍｉｒａｃａｓｔでは、情報端末と表示装置とは、アクセスポイントを介さずに直接に通信を行う。
【０００５】
従来、複数の種類の無線通信部を有する通信機器が、当該通信機器の近傍に位置する通信機器と一の無線通信部を用いて直接に通信を行うことにより、他の無線通信部の設定情報を取得する技術がある（例えば、特許文献１）。
【先行技術文献】
【特許文献】
【０００６】
【特許文献１】特許第４７１０４７７号公報
【発明の概要】
【発明が解決しようとする課題】
【０００７】
情報端末と表示装置との間で行われる通信に必要な情報がユーザに直感的にわかりにくいものである、又は、当該通信を接続する前にユーザの許可が必要である、などの問題がある。
【０００８】
本発明は、上記の問題を解決するためになされたものであり、ユーザにとってより簡易な手法で情報端末との接続を行う通信装置等を提供することを目的とする。
【課題を解決するための手段】
【０００９】
上記目的を達成するために、本発明の一態様に係る通信装置は、情報端末との通信を行う通信装置であって、通信部と、前記通信装置及び前記情報端末を含むローカルエリアネットワーク内において、中継装置を介した前記通信装置と前記情報端末との通信である第一通信を、前記通信部に行わせる通信制御部と、前記通信装置と前記情報端末との直接の通信である第二通信の接続に必要な情報である接続情報を、前記第一通信によって前記情報端末から取得する接続情報取得部とを備え、前記通信制御部は、前記接続情報取得部が前記接続情報を取得した場合に、前記通信部に前記第一通信を切断させ、かつ、取得した前記接続情報を用いて前記第二通信を開始させる。
【００１０】
これによれば、通信装置は、中継装置を介した情報端末との通信（第一通信）によって、中継装置を介さない直接の通信（第二通信）に必要な情報を取得し、取得した後に、第二通信を接続し、第二通信を用いた処理を実行することができる。すなわち、通信装置によれば、ユーザは、自身の操作によって第二通信に必要な情報を通信装置に入力することなく、ローカルエリアネットワーク内に存在する情報端末との間で第二通信を接続することができる。よって、通信装置は、ユーザにとってより簡易な手法で情報端末との接続を行うことができる。
【００１１】
例えば、前記通信装置は、さらに、前記接続情報を格納可能である記憶部を備え、前記接続情報取得部は、（ｉ）前記ローカルエリアネットワーク内で前記情報端末を特定する第一特定情報を前記接続情報として前記情報端末から受信し、（ｉｉ）受信した前記第一特定情報を前記記憶部に格納し、かつ、（ｉｉｉ）前記ローカルエリアネットワーク内で前記通信装置を特定する第二特定情報を前記通信装置に送信し、前記通信制御部は、前記情報端末から前記第二通信の接続要求を受信した場合に、前記記憶部に格納された前記第一特定情報に基づいて接続を許可するか否かを判定し、接続を許可すると判定した場合に前記第二通信を開始させるとしてもよい。
【００１２】
これによれば、通信装置は、第一通信により情報端末から受信した第二通信の接続に必要な情報と、その後の情報端末からの第二通信の接続要求に含まれる情報とを用いて接続の許否を判定する。よって、通信装置は、第一通信を行った相手である情報端末との間で第二通信を接続することができる。
【００１３】
また、前記通信制御部は、前記情報端末から前記第二通信の接続要求を受信した場合であって、前記接続要求の送信元が前記記憶部に格納された前記第一特定情報により特定される装置に一致する場合に、前記接続を許可すると判定するとしてもよい。
【００１４】
これによれば、通信装置は、第一通信により情報端末から受信した第二通信の接続に必要な情報と、その後の情報端末からの第二通信の接続要求に含まれる情報とが一致する場合に、第二通信を接続する。よって、通信装置は、第一通信を行った相手である情報端末との間で確実に第二通信を接続することができる。
【００１５】
また、前記通信装置は、さらに、前記通信装置が前記ローカルエリアネットワークに接続するための設定を行い、かつ、前記接続情報取得部に前記接続情報を取得させることで、前記通信装置の初期設定を行う初期設定部を備えるとしてもよい。
【００１６】
これによれば、通信装置は、通信装置の初期設定の１つとして第二通信に必要な情報を取得することができる。通信装置の初期設定とは、例えば、ユーザが通信装置を購入した後に行う設定であって、ユーザの自宅のローカルエリアネットワークに通信装置を接続するための設定のことである。
【００１７】
また、前記接続情報取得部は、前記第一特定情報を受信した場合に、受信した前記第一特定情報で特定される装置との第二通信の接続を行うか否かについての問い合わせのための情報をユーザに提示し、前記問い合わせに対するユーザの回答に応じて、前記第二通信の接続を制御するとしてもよい。
【００１８】
これによれば、通信装置は、ユーザの回答による指示に応じて、第二通信を接続するか否かを決定することができる。
【００１９】
また、前記接続情報取得部は、前記問い合わせのための画像をユーザに提示してから所定時間が経過してもユーザの回答が得られない場合に、前記第二通信の接続を行う、又は、前記第二通信の接続を行わない、のうちのいずれか一方と判定するとしてもよい。
【００２０】
これによれば、通信装置は、ユーザによる回答がなくても、第二通信を行う（又は、行わない）との判定を行うことができる。
【００２１】
また、前記接続情報取得部は、前記第一特定情報を受信した場合であって、受信した前記第一特定情報で特定される装置が既に前記通信装置と通信したことがある装置である場合に、受信した前記第一特定情報で特定される装置との第二通信の接続を行うとしてもよい。
【００２２】
これによれば、通信装置は、過去に既に通信したことがある情報端末からの接続要求に対して、接続するか否かの判定処理を行うことなく、第二通信を接続することができる。
【００２３】
また、前記情報端末は、画像データを生成し、前記第二通信は、前記情報端末が生成した画像データを前記通信装置に送信するための通信を含み、前記通信装置は、さらに、前記第二通信により前記画像データを受信して、受信した画像データから画像を生成する処理部と、前記処理部が生成した画像の表示画面への表示を制御する表示制御部とを備えるとしてもよい。
【００２４】
これによれば、通信装置は、情報端末が生成した画像データを表示装置に表示させることができる。
【００２５】
なお、本発明は、このような特徴的な処理部を備える通信装置又は情報端末として実現することができるだけでなく、通信装置又は情報端末に含まれる特徴的な処理部が実行する処理をステップとする方法として実現することができる。また、通信装置又は情報端末に含まれる特徴的な処理部としてコンピュータを機能させるためのプログラムまたは方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２６】
本発明によると、通信装置は、よりユーザに理解されやすい態様で情報端末との接続を行うことができる。
【図面の簡単な説明】
【００２７】
【図１】図１は、実施の形態１に係る通信システムの構成図である。
【図２Ａ】図２Ａは、実施の形態１に係る表示制御装置のハードウェア構成図である。
【図２Ｂ】図２Ｂは、実施の形態１に係る情報端末及び表示制御装置の機能ブロック図である。
【図３】図３は、実施の形態１に係る通信システムの処理のフローチャートである。
【図４Ａ】図４Ａは、実施の形態１に係る通信システムの処理のシーケンス図である。
【図４Ｂ】図４Ｂは、実施の形態１に係る通信システムの処理に用いられる情報の説明図である。
【図５】図５は、実施の形態２に係る通信システムの処理のシーケンス図である。
【図６】図６は、実施の形態２に係る表示制御装置の表示画像の例である。
【図７】図７は、実施の形態３に係る通信システムの処理のシーケンス図である。
【図８】図８は、実施の形態４に係る表示制御装置の機能の切替えの説明図である。
【図９】図９は、実施の形態４に係る情報端末の機能の切替えの説明図である。
【発明を実施するための形態】
【００２８】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２９】
（実施の形態１）
図１は、本実施の形態に係る通信システムの構成図である。
【００３０】
図１に示されるように、本実施の形態に係る通信システム１は、情報端末１０と、表示制御装置２０と、表示装置２０Ａと、中継装置３０とを備える。
【００３１】
情報端末１０は、ユーザの操作を入力として受け付け、音声又は画面表示によりユーザへ情報を提示する装置である。また、情報端末１０は、通信インタフェースを有しており、当該通信インタフェースによって中継装置を介した他装置との通信４０、又は、他装置との直接の通信５０を行うことができる。例えば、情報端末１０は、通信４０を用いてインターネット３５上のサーバにアクセスし、Ｗｅｂサーバから取得した情報に従って情報端末１０の画面にＷｅｂサイトを表示することができる。また、情報端末１０は、情報端末１０の画面に表示している画像の画像データを、通信５０を用いて表示制御装置２０に送信し、表示制御装置２０によりその画像の表示を制御させることができる。
【００３２】
表示制御装置２０は、画像の表示を制御する装置である。表示制御装置２０は、表示装置２０Ａに接続されており、表示装置２０Ａに画像を表示するか否かを制御する。さらに、表示制御装置２０は、表示装置２０Ａに表示する画像をも制御する。つまり、表示制御装置２０は、画像を表示装置２０Ａに送信し、その画像を表示装置２０Ａに表示させる。また、表示制御装置２０は、通信インタフェースを有しており、当該通信インタフェースによって中継装置を介した他装置との通信４０、又は、他装置との直接の通信５０を行うことができる。例えば、表示制御装置２０は、通信４０を用いてインターネット３５上のＷｅｂサーバにアクセスし、Ｗｅｂサーバから取得した情報に従って画像を構成し、構成した画像を表示装置２０Ａに表示させることができる。また、表示制御装置２０は、情報端末１０から画像データを受信し、受信した画像を表示装置２０Ａに表示させることができる。なお、表示制御装置２０は、通信装置の一例であり、具体的には、セットトップボックス（ＳＴＢ）、又は、チューナに相当する。また、表示制御装置２０は、表示装置２０Ａを備えていてもよい。
【００３３】
表示装置２０Ａは、画像を表示する装置である。本実施の形態において、表示装置２０Ａは、表示制御装置２０に接続されており、表示制御装置２０から受信した画像を表示する。表示装置２０Ａは、具体的には、テレビである。
【００３４】
中継装置３０は、中継装置３０に接続する装置の間で、通信を中継する。本実施の形態において、中継装置３０は、情報端末１０及び表示制御装置２０のそれぞれと接続しており、情報端末１０及び表示制御装置２０に対して通信４０を提供する。つまり、中継装置３０は、情報端末１０が送信した通信データを受信して表示制御装置２０へ送信し、また、表示制御装置２０が送信した通信データを受信して情報端末１０へ送信する。また、中継装置３０は、インターネット３５上のサーバにも接続しており、情報端末１０又は表示制御装置２０と当該サーバとの通信を中継することもできる。
【００３５】
なお、中継装置３０に接続される機器で構成されるネットワークは、ローカルエリアネットワーク（以降で、ＬＡＮ（Local Area Network）とも表記する）の一例である。
【００３６】
なお、情報端末１０と表示制御装置２０とは、それぞれ、ＭｉｒａｃａｓｔにおけるＳｏｕｒｃｅ  ＤｅｖｉｃｅとＳｙｎｃ  Ｄｅｖｉｃｅとに相当する。
【００３７】
図２Ａは、本実施の形態に係る表示制御装置のハードウェア構成図である。
【００３８】
図２Ａに示されるように、表示制御装置２０は、ＣＰＵ（Central Processing Unit）２１と、ＲＯＭ（Read Only Memory）２２と、ＲＡＭ（Random Access Memory）２３と、記憶装置２４と、入力装置２５と、ＮＩＣ（Network Interface Card）２６と、映像出力装置２７とを備える。
【００３９】
ＣＰＵ２１は、ＲＯＭ２２に格納された制御プログラムを実行するプロセッサである。
【００４０】
ＲＯＭ２２は、制御プログラム等を保持する読み出し専用記憶領域である。
【００４１】
ＲＡＭ２３は、ＣＰＵ２１が制御プログラムを実行するときに使用するワークエリアとして用いられる揮発性の記憶領域である。
【００４２】
記憶装置２４は、制御プログラム、又は、画像データなどを保持する不揮発性の記憶領域である。
【００４３】
入力装置２５は、ユーザからの入力を受け付ける装置である。具体的には、入力装置２５は、画面へのタッチを入力として受け付けるタッチパネル、赤外線などを利用して信号を入力として受け付けるリモコン、又は、ボタンの押下を入力として受け付けるボタンなどを含む。また、入力装置２５は、上記の他のさまざまな態様でユーザからの入力を受け付ける装置を含んでよい。
【００４４】
ＮＩＣ２６は、ネットワークへ通信データを送信する、又は、ネットワークから通信データを受信する通信インタフェースである。なお、ＮＩＣ２６が接続するネットワークは、ＩＥＥＥ８０２．３規格等に適合する有線ＬＡＮであってもよいし、ＩＥＥＥ８０２．１１ａ、ｂ、ｇ規格等に適合する無線ＬＡＮであってもよい。
【００４５】
映像出力装置２７は、映像信号を構成し出力する装置である。
【００４６】
なお、本実施の形態に係る情報端末１０は、ＣＰＵと、ＲＯＭと、ＲＡＭと、記憶装置と、入力装置と、ＮＩＣとを備える。各構成要素は、表示制御装置２０の同名の構成要素と同じ機能を有する。
【００４７】
図２Ｂは、本実施の形態に係る情報端末及び表示制御装置の機能ブロック図である。
【００４８】
図２Ｂに示されるように、本実施の形態に係る情報端末１０は、通信制御部１０１と、受付部１０２と、記憶部１０３と、通信部１０４と、接続情報取得部１０５と、処理部１０６とを備える。
【００４９】
通信制御部１０１は、通信部１０４の通信を制御する。具体的には、通信制御部１０１は、ローカルエリアネットワーク内において、中継装置３０を介した情報端末１０と表示制御装置２０との通信４０（第一通信）を通信部１０４に行わせる。また、通信制御部１０１は、接続情報取得部１０５が接続情報を取得した場合に、通信部１０４に通信４０を切断させ、かつ、取得した接続情報を用いて表示制御装置２０との直接の通信５０（第二通信）を開始させる。なお、通信制御部１０１は、ＣＰＵ、ＲＯＭ、及びＲＡＭ等により実現される。
【００５０】
受付部１０２は、ユーザからの入力を受け付ける。具体的には、受付部１０２は、ユーザから、情報端末１０と表示制御装置２０との間で通信５０を行う旨の入力を受け付ける。なお、受付部１０２は、入力装置などにより実現される。
【００５１】
記憶部１０３は、接続情報取得部１０５が取得する、通信５０のために必要な情報を保存する。
【００５２】
通信部１０４は、他の装置と通信を行う。具体的には、通信部１０４は、中継装置３０と接続し、中継装置３０を介して表示制御装置２０との通信４０（第一通信）を行う。また、通信部１０４は、表示制御装置２０と直接に接続し、表示制御装置２０との直接の通信５０（第二通信）を行う。通信４０は、各装置が無線アクセスポイントに接続する形態のネットワークにおける通信に相当する。通信４０を行うには、少なくとも、ネットワークを一意に識別可能な識別子（以降、ネットワークＩＤと記載する）が必要である。通信４０がＩＥＥＥ８０２．１１規格の無線ＬＡＮである場合には、ＢＳＳＩＤ又はＥＳＳＩＤをネットワークＩＤとして用いることができる。また、通信５０は、通信を行う装置同士が直接に接続する形態のネットワークにおける通信に相当する。通信５０を行うには、少なくとも、ネットワークを一意に識別可能な識別子と、ネットワーク内で通信相手装置を一意に識別可能な識別子（端末ＩＤ）が必要である。通信５０がＷｉｆｉ−Ｄｉｒｅｃｔである場合には、Ｗｉｆｉ−Ｄｉｒｅｃｔ接続名をネットワークＩＤとして、通信相手のＭＡＣアドレスを端末ＩＤとして用いることができる。なお、通信部１０４は、ＮＩＣ２６などにより実現される。
【００５３】
接続情報取得部１０５は、情報端末１０と表示制御装置２０との直接の通信５０（第二通信）の接続に必要な情報である接続情報を、通信４０によって取得する。接続情報とは、具体的には、通信５０のＷｉｆｉ−Ｄｉｒｅｃｔ接続名と、表示制御装置２０のＭＡＣアドレスとである。接続情報の取得方法については、後で詳しく説明する。なお、接続情報取得部１０５は、ＣＰＵ、ＲＯＭ、及びＲＡＭ等により実現される。
【００５４】
処理部１０６は、通信５０を用いて所定の処理を行う。所定の処理の具体例は、画像データを送信する処理である。ここで、画像データとは、処理時点で情報端末１０の画面に表示されている画像の画像データであってもよいし、その他の画像データであってもよい。また、画像データは、動画像を構成するデータであってもよいし、静止画像を構成するデータであってもよい。なお、処理部１０６は、ＣＰＵ、ＲＯＭ、及びＲＡＭ等により実現される。
【００５５】
なお、情報端末１０は、情報端末１０の初期設定として、情報端末１０がローカルエリアネットワークに接続するための設定と、接続情報取得部１０５による接続情報の取得とをさせるようにしてもよい。ここで、初期設定とは、例えば、ユーザが情報端末１０を購入した後に行う初期セットアップ時の設定である。また、情報端末１０は、上記のような初期設定を行う初期設定部（不図示）を備えてもよい。
【００５６】
また、本実施の形態に係る表示制御装置２０は、通信制御部２０１と、受付部２０２と、記憶部２０３と、通信部２０４と、接続情報取得部２０５と、処理部２０６と、表示制御部２０７とを備える。
【００５７】
通信制御部２０１は、通信部２０４の通信を制御する。具体的には、通信制御部２０１は、ローカルエリアネットワーク内において、中継装置３０を介した表示制御装置２０と情報端末１０との通信４０（第一通信）を通信部２０４に行わせる。また、通信制御部２０１は、接続情報取得部２０５が接続情報を取得した場合に、通信部２０４に通信４０を切断させ、かつ、取得した接続情報を用いて通信５０を開始させる。なお、通信制御部２０１は、ＣＰＵ、ＲＯＭ、及びＲＡＭ等により実現される。
【００５８】
受付部２０２は、ユーザからの入力を受け付ける。具体的には、受付部２０２は、ユーザから、表示制御装置２０と情報端末１０との間で通信５０を行う旨の入力を受け付ける。なお、受付部２０２は、入力装置などにより実現される。
【００５９】
記憶部２０３は、接続情報取得部２０５が取得する、通信５０のために必要な情報を保存する。
【００６０】
通信部２０４は、他の装置と通信を行う。具体的には、通信部２０４は、中継装置３０と接続し、中継装置３０を介して情報端末１０との通信４０（第一通信）を行う。また、通信部２０４は、情報端末１０と直接に接続し、情報端末１０との直接の通信５０（第二通信）を行う。なお、通信部２０４は、ＮＩＣ２６などにより実現される。
【００６１】
接続情報取得部２０５は、表示制御装置２０と情報端末１０との直接の通信５０（第二通信）の接続に必要な情報である接続情報を、通信４０によって取得する。接続情報とは、具体的には、通信５０のＷｉｆｉ−Ｄｉｒｅｃｔ接続名と、情報端末１０のＭＡＣアドレスとである。なお、接続情報取得部２０５は、ＣＰＵ、ＲＯＭ、及びＲＡＭ等により実現される。
【００６２】
処理部２０６は、通信５０を用いて所定の処理を行う。所定の処理の具体例は、通信５０により、情報端末が生成した画像データを受信して、受信した画像データの画像を表示装置に表示させる処理である。なお、処理部２０６は、ＣＰＵ、ＲＯＭ、及びＲＡＭ等により実現される。
【００６３】
表示制御部２０７は、映像信号を構成し、表示装置に出力する。なお、表示制御部２０７は、映像出力装置２７などにより実現される。
【００６４】
なお、表示制御装置２０は、表示制御装置２０の初期設定として、表示制御装置２０がローカルエリアネットワークに接続するための設定と、接続情報取得部２０５による接続情報の取得とをさせるようにしてもよい。ここで、初期設定とは、例えば、ユーザが表示制御装置２０を購入した後に行う初期セットアップ時の設定である。また、表示制御装置２０は、上記のような初期設定を行う初期設定部（不図示）を備えてもよい。
【００６５】
図３は、本実施の形態に係る通信システムの処理のフローチャートである。
【００６６】
まず、情報端末１０及び表示制御装置２０は、中継装置３０を介した通信４０の接続を行う（ステップＳ３０１）。情報端末１０及び表示制御装置２０のそれぞれは、中継装置３０に接続するための情報を用いて中継装置３０に接続する。当該情報は、ユーザが中継装置３０の設定情報又はその他の情報を参照して取得し、情報端末１０及び表示制御装置２０のそれぞれに設定される。情報端末１０及び表示制御装置２０のそれぞれが中継装置３０に接続できれば、情報端末１０及び表示制御装置２０のそれぞれは、互いに相手と通信することができる。これで、通信４０の接続は完了したことになる。
【００６７】
次に、情報端末１０及び表示制御装置２０は、通信４０を用いて、通信５０の接続に必要な情報を取得する（ステップＳ３０２）。情報端末１０及び表示制御装置２０のそれぞれは、通信５０の接続に必要な情報として、自装置のＭＡＣアドレス及びＷｉｆｉ−Ｄｉｒｅｃｔ接続名を相手装置に送信する。これにより、情報端末１０及び表示制御装置２０のそれぞれは、相手装置のＭＡＣアドレス及びＷｉｆｉ−Ｄｉｒｅｃｔ接続名を取得し保持する。なお、上記の処理を行う契機は、ユーザの入力であってもよいし、ユーザの入力によらずに自動的に行われるものであってもよい。
【００６８】
次に、情報端末１０及び表示制御装置２０は、通信４０の接続を切断する（ステップＳ３０３）。
【００６９】
次に、情報端末１０及び表示制御装置２０は、通信５０の接続を開始する（ステップＳ３０４）。情報端末１０及び表示制御装置２０のそれぞれは、相手装置へ通信５０（直接通信）の接続要求を送信し、送信した接続要求に対して相手装置が許可したことを示す接続応答を受信したら、相手装置との間で通信５０を行うことができる状態となる。
【００７０】
次に、情報端末１０及び表示制御装置２０は、通信５０を用いて所定の処理を実行する（ステップＳ３０５）。所定の処理とは、例えば、情報端末１０が画像データを生成し、生成した画像データを通信５０により送信する処理であり、また、表示制御装置２０が通信５０により当該画像データを受信して、受信した画像データの画像を表示装置に表示させる処理である。
【００７１】
図４Ａは、本実施の形態に係る通信システムの処理のシーケンス図である。また、図４Ｂは、本実施の形態に係る通信システムの処理に用いられる情報の説明図である。図４Ａ及び図４Ｂを参照して、本実施の形態に係る通信システムの処理をさらに詳細に説明する。
【００７２】
なお、図４Ａは、既に中継装置３０を介した情報端末１０と表示制御装置２０との通信４０が接続中である状態における処理の説明図である。通信４０が接続中である状態とは、情報端末１０と表示制御装置２０とのそれぞれに中継装置３０に接続するための設定情報が設定され、実際にその設定情報を用いて中継装置３０に接続している状態である。
【００７３】
まず、情報端末１０は、ユーザからの操作を受け付ける（ステップＳ４０１）。
【００７４】
また、表示制御装置２０は、ユーザからの操作を受け付ける（ステップＳ４２１）。表示制御装置２０は、ユーザからの操作を受け付けたら、待ち状態となる（ステップＳ４２２）。
【００７５】
情報端末１０は、ステップＳ４０１でユーザからの操作を受け付けたら、ＬＡＮ内のブロードキャストで接続情報要求４６１を送信する。接続情報要求４６１は、送信元である情報端末１０のＭＡＣアドレスと、この後に行われる直接の通信５０のＷｉｆｉ−Ｄｉｒｅｃｔ接続名とを少なくとも含む（図４Ｂの（ａ））。接続情報要求４６１は、さらに、情報端末１０の機種名、表示画面の大きさ、又は情報端末１０のユーザに関する情報などを含んでもよい。
【００７６】
情報端末１０は、接続情報要求４６１を送信した後、応答待ち状態となる（ステップＳ４０２）。
【００７７】
中継装置３０は、情報端末１０が送信した接続情報要求４６１を受信し、ＬＡＮ内に接続情報要求４６２として転送する。
【００７８】
表示制御装置２０は、接続情報要求４６２を受信する。表示制御装置２０は、接続情報要求４６２を受信したら、接続情報要求４６２に含まれている、情報端末１０の情報を記憶部に保存する（ステップＳ４２３）。
【００７９】
次に、表示制御装置２０は、接続情報要求４６２に対する応答として直接接続応答４６３を、情報端末１０を宛先として送信する。接続情報応答４６３は、送信元である表示制御装置２０のＭＡＣアドレスと、この後に行われる直接の通信５０のＷｉｆｉ−Ｄｉｒｅｃｔ接続名とを少なくとも含む（図４Ｂの（ｂ））。接続情報応答４６３は、さらに、表示制御装置２０の機種名、表示画面の大きさ、又は表示制御装置２０のユーザに関する情報などを含んでもよい。
【００８０】
中継装置３０は、直接接続応答４６３を受信し、宛先とされている情報端末１０へ直接接続応答４６４として送信する。
【００８１】
情報端末１０は、直接接続応答４６４を受信する。情報端末１０は、直接接続応答４６４を受信したら、直接接続応答４６４に含まれている、表示制御装置２０の情報を記憶部に保存する（ステップＳ４０３）。
【００８２】
ここまでの一連の処理４９１によって、情報端末１０と表示制御装置２０とは、この次に行われる直接の通信５０の接続情報を、通信４０を用いて取得したことになる。
【００８３】
次に、情報端末１０は、中継装置３０との通信４０を切断する（ステップＳ４０４）。情報端末１０は、通信４０を切断した後に、通信５０の接続待ち状態になる（ステップＳ４０４）。
【００８４】
また、表示制御装置２０は、中継装置３０との通信４０を切断する（ステップＳ４２４）。表示制御装置２０は、中継装置３０との通信４０を切断した後に、通信５０の接続要求４６５を情報端末１０に送信する。
【００８５】
情報端末１０は、接続要求４６５を受信したら、受信した接続要求４６５に含まれる情報に基づいて、通信５０の接続を許可するか、又は拒否するかを判定する。情報端末１０は、具体的には、接続要求４６５に含まれるＭＡＣアドレス及びＷｉｆｉ−Ｄｉｒｅｃｔ接続名が、それぞれ、ステップ４０３で受信した表示制御装置２０のＭＡＣアドレス及びＷｉｆｉ−Ｄｉｒｅｃｔ接続名に一致するか否かの判定を行う（ステップＳ４０６）。
【００８６】
上記のＭＡＣアドレス及びＷｉｆｉ−Ｄｉｒｅｃｔ接続名の判定において、一致すると判定された場合、情報端末１０は、接続要求４６５に基づいて通信５０の接続を許可し、接続要求４６５の応答として接続応答４６６を表示制御装置２０へ送信する。
【００８７】
表示制御装置２０は、接続応答４６６を受信したら、受信した接続応答４６６に含まれる情報に基づいて、通信５０の接続を許可するか、又は拒否するかを判定する。表示制御装置２０は、具体的には、接続応答４６６に含まれるＭＡＣアドレス及びＷｉｆｉ−Ｄｉｒｅｃｔ接続名が、それぞれ、ステップ４２３で受信した情報端末１０のＭＡＣアドレス及びＷｉｆｉ−Ｄｉｒｅｃｔ接続名に一致するか否かの判定を行う（ステップＳ４２５）。
【００８８】
上記のＭＡＣアドレス及びＷｉｆｉ−Ｄｉｒｅｃｔ接続名の判定において、一致すると判定された場合、表示制御装置２０は、接続応答４６６に基づいて通信５０の接続を許可する。
【００８９】
ここまでの一連の処理４９２によって、情報端末１０及び表示制御装置２０のそれぞれにおいて、通信５０の接続が確立した状態となる（ステップＳ４０７及びステップＳ４２６）。
【００９０】
この後、情報端末１０及び表示制御装置２０のそれぞれは、通信５０を用いた処理を行う（ステップＳ４０８及びステップＳ４２７）。この処理の具体例は、画像転送処理（映像ミラーリングともよぶ）である。すなわち、情報端末１０は、画像データを生成し、生成した画像データを通信５０により送信する処理を行う。つまり、通信５０は、情報端末１０が生成した画像データを表示制御装置２０に送信するための通信を含む。そして、表示制御装置２０は、通信５０により受信した画像データを表示装置に表示させる。画像転送処理により、情報端末１０が生成した画像データが表示装置に表示される。
【００９１】
以上のように、本実施の形態に係る表示制御装置によれば、表示制御装置は、中継装置を介した情報端末との通信（第一通信）によって、中継装置を介さない直接の通信５０（第二通信）に必要な情報を取得し、取得した後に、通信５０を接続し、通信５０を用いた処理を実行することができる。すなわち、表示制御装置によれば、ユーザは、自身の操作によって通信５０に必要な情報を通信装置に入力することなく、ローカルエリアネットワーク内に存在する情報端末との間で通信５０を接続することができる。よって、表示制御装置は、ユーザにとってより簡易な手法で情報端末との接続を行うことができる。
【００９２】
（実施の形態２）
本実施の形態では、情報端末１０及び表示制御装置２０のうちのいずれか一方がユーザの操作を受け付けた場合に、上記のうちの他方に接続する形態について説明する。なお、通信システムの構成や、情報端末１０及び表示制御装置２０のハードウェア構成は、実施の形態１におけるものと同一である。
【００９３】
図５は、本実施の形態に係る通信システムの処理のシーケンス図である。通信システムは、実施の形態１の一連の処理４９１に代えて、図７に示す一連の処理５９０を行う。
【００９４】
まず、情報端末１０は、ユーザからの操作を受け付ける（ステップＳ５０１）。このステップは、実施の形態１におけるステップＳ４０１と同じである。
【００９５】
表示制御装置２０は、要求待ち状態になる（ステップＳ５２１）。このステップは、実施の形態１では、表示制御装置２０がユーザの操作を受け付けた後に行われるものであったが、本実施の形態では、ユーザからの操作を待たずに実行される。
【００９６】
次に、情報端末１０が、中継装置３０を介して表示制御装置２０へ、接続情報要求５６１（及び５６２）を送信する。表示制御装置２０は、受信した接続情報要求５６２に含まれる情報を保存する（ステップＳ５２２）。この一連の処理は、実施の形態１におけるものと同じである。
【００９７】
次に、表示制御装置２０は、表示制御装置２０と情報端末１０との間で直接の通信５０を接続するか否かを判定する。この判定は、ユーザへの問い合わせと、ユーザからの回答とに基づいて行われる。表示制御装置２０は、ユーザへの問い合わせのために、例えば、図６に示されるようなメッセージボックスを表示画面に表示させる。そして、当該メッセージボックスの内容に対するユーザの応答を受け付ける。具体的には、通信５０の接続を行う旨（図６において「はい」）の回答をユーザから受け付けた場合には、通信５０の接続を行うと判定する。反対に、通信５０の接続を行わない旨（図６において「いいえ」）の回答をユーザから受け付けた場合には、通信５０の接続を行わないと判定する。
【００９８】
なお、上記のメッセージボックスが表示画面に表示されてから所定時間が経過したら、ユーザからの回答を受け付けなくても、通信５０の接続を行う、又は、行わないとの判定を行うようにしてもよい。
【００９９】
そして、表示制御装置２０が「通信５０の接続を行う」と判定した場合には、一連の処理５９１を行う。つまり、表示制御装置２０は、実施の形態１と同様に、表示制御装置２０が中継装置３０を介して接続情報応答５６３（及び５６４）を送信する。情報端末１０は、受信した接続情報応答５６４に含まれる情報を保存する（ステップＳ５０３）。
【０１００】
一方、表示制御装置２０が、「通信５０の接続を行わない」と判定した場合には、一連の処理５９２を行う。つまり、表示制御装置２０は、接続を拒否する旨の接続情報応答５８１（及び５８２）を、中継装置３０を介して情報端末１０へ送信する。情報端末１０は、接続情報応答５８２を受信したら、処理を中止する。
【０１０１】
以上のように、本実施の形態に係る表示制御装置によれば、表示制御装置は、ユーザの回答による指示に応じて、通信５０を接続するか否かを決定することができる。
【０１０２】
また、表示制御装置は、ユーザによる回答がなくても、通信５０を行う（又は、行わない）との判定を行うことができる。
【０１０３】
（実施の形態３）
本実施の形態では、情報端末１０及び表示制御装置２０のうちのいずれか一方がユーザの操作を受け付けた場合で、かつ、過去に既に接続したことがある装置に接続する形態について説明する。なお、通信システムの構成や、情報端末１０及び表示制御装置２０のハードウェア構成は、実施の形態１におけるものと同一である。
【０１０４】
図７は、本実施の形態に係る通信システムの処理のシーケンス図である。通信システムは、実施の形態１の一連の処理４９１に代えて、図７に示す一連の処理７９１を行う。
【０１０５】
まず、情報端末１０は、ユーザからの操作を受け付ける（ステップＳ７０１）。このステップは、実施の形態１におけるステップＳ４０１と同じである。
【０１０６】
表示制御装置２０は、要求待ち状態になる（ステップＳ７２１）。このステップは、実施の形態２におけるステップＳ５２１と同じである。
【０１０７】
次に、情報端末１０が、中継装置３０を介して表示制御装置２０へ、接続情報要求７６１（及び７６２）を送信する。表示制御装置２０は、受信した接続情報要求７６２に含まれる情報が、過去に直接の通信５０を行ったことがある装置であるか否かを判定する（ステップＳ７２２）。
【０１０８】
そして、表示制御装置２０は、受信した接続情報要求７６２が、過去に直接の通信５０を行ったことがある装置が送信したものであった場合に、接続情報応答７６３（及び７６４）を中継装置３０を介して情報端末１０に送信する。なお、この処理において、表示制御装置２０は、接続情報要求７６２に含まれる、情報端末１０の情報を保存する必要はないが、情報端末１０の情報を保存するとしてもよい。同様に、この処理において、情報端末１０は、接続情報要求７６４に含まれる、表示制御装置２０の情報を保存する必要はないが、表示制御装置２０の情報を保存するとしてもよい。
【０１０９】
以上のように、本実施の形態に係る表示制御装置によれば、表示制御装置は、過去に既に通信したことがある情報端末からの接続要求に対して、接続するか否かの判定処理を行うことなく、通信５０を接続することができる。
【０１１０】
（実施の形態４）
本実施の形態では、実施の形態１〜３のそれぞれに対応する機能のうちの複数の機能を有し、それらを切り替える情報端末及び表示制御装置について説明する。
【０１１１】
上記の実施の形態１〜３のそれぞれに係る情報端末は、それぞれの情報端末として実現することができるほか、実施の形態１〜３のうちの複数の機能を有し、かつ、それらの機能を状況に応じて切り替える１つの情報端末として実現することもできる。上記の実施の形態１〜３のそれぞれに係る表示制御装置は、それぞれの表示制御装置として実現することができるほか、実施の形態１〜３のうちの複数の機能を有し、かつ、それらの機能を状況に応じて切り替える１つの表示制御装置として実現することもできる。
【０１１２】
図８は、本実施の形態に係る情報端末の機能の切替えの説明図である。
【０１１３】
まず、情報端末１０が、表示制御装置２０との間で直接の通信５０を接続している場合（ステップＳ８０１でＹｅｓ）には、その状態において、映像表示処理を行うことができる（ステップＳ８３１）。
【０１１４】
情報端末１０が、表示制御装置２０との間で直接の通信５０を接続していない場合（ステップＳ８０１でＮｏ）には、情報端末１０は、中継装置３０との間で通信４０を接続しているか否かを判定する（ステップＳ８０２）。情報端末１０が通信４０を接続していない場合（ステップＳ８０２でＮｏ）には、いずれの通信も行うことができない（接続失敗、ステップＳ８０３）。
【０１１５】
一方、情報端末１０が通信４０を接続している場合（ステップＳ８０２でＹｅｓ）には、情報端末１０は、表示制御装置２０の情報を保有しているか否かを判定する（ステップＳ８１１）。情報端末１０が、表示制御装置２０の情報を保有している場合（ステップＳ８１１でＹｅｓ）には、再接続処理を行う（ステップＳ８２１）。一方、情報端末１０が表示制御装置２０の情報を保有していない場合（ステップＳ８１１でＮｏ）には、通信５０の接続のための処理を行う（ステップＳ８１２）。
【０１１６】
以上のように、情報端末は、状況に応じて、接続処理及び映像表示処理を切り替えて実行することができる。
【０１１７】
図９は、本実施の形態に係る表示制御装置の機能の切替えの説明図である。
【０１１８】
表示制御装置２０は、受信した接続情報要求（接続情報要求４６１、又は、接続情報要求７６１）の送信元が、すでに接続したことがある情報端末であるか否かを判定する（ステップＳ９０１）。この送信元が、すでに接続したことがある情報端末である場合（ステップＳ９０１でＹｅｓ）には、再接続処理を行う（ステップＳ９１１）。一方、この送信元が、すでに接続したことがある情報端末でない場合（ステップＳ９０１でＮｏ）には、接続処理を行う（ステップＳ９０２）。
【０１１９】
以上のように、表示制御装置は、状況に応じて、接続処理及び再接続処理を切り替えて実行することができる。
【０１２０】
なお、上記の実施の形態の一部又は全部は、以下の付記のようにも記載され得るが、以下の記載に限定されない。
【０１２１】
［付記１］
通信装置との通信を行う情報端末であって、
通信部と、
前記情報端末及び前記通信装置を含むローカルエリアネットワーク内において、中継装置を介した前記情報端末と前記通信装置との通信である第一通信を、前記通信部に行わせる通信制御部と、
前記情報端末と前記通信装置との直接の通信である第二通信の接続に必要な情報である接続情報を、前記第一通信によって取得する接続情報取得部とを備え、
前記通信制御部は、
前記接続情報取得部が前記接続情報を取得した場合に、前記通信部に前記第一通信を切断させ、かつ、取得した前記接続情報を用いて前記第二通信を開始させる
情報端末。
【０１２２】
［付記２］
前記情報端末は、さらに、
前記接続情報を格納可能である記憶部を備え、
前記接続情報取得部は、
（ｉ）前記ローカルエリアネットワーク内で前記情報端末を特定する第一特定情報を前記通信装置に送信し、（ｉｉ）前記ローカルエリアネットワーク内で前記通信装置を特定する第二特定情報を前記接続情報として前記通信装置から受信し、かつ、（ｉｉｉ）受信した前記第二特定情報を前記記憶部に格納し、
前記通信制御部は、
前記通信装置から前記第二通信の接続要求を受信した場合に、前記記憶部に格納された前記第二特定情報に基づいて接続を許可するか否かを判定し、接続を許可すると判定した場合に前記第二通信を開始させる
付記１に記載の情報端末。
【０１２３】
［付記３］
前記通信制御部は、
前記通信装置から前記第二通信の接続要求を受信した場合であって、前記接続要求の送信元が前記記憶部に格納された前記第二特定情報により特定される装置に一致する場合に、前記接続を許可すると判定する
付記２に記載の情報端末。
【０１２４】
［付記４］
前記情報端末は、さらに、
前記情報端末が前記ローカルエリアネットワークに接続するための設定を行い、かつ、前記接続情報取得部に前記接続情報を取得させることで、前記情報端末の初期設定を行う初期設定部を備える
付記１〜３のいずれか１項に記載の情報端末。
【０１２５】
［付記５］
前記情報端末は、さらに、
画像データを生成し、生成した画像データを送信する処理部を備え、
前記第二通信は、前記処理部が生成した前記画像データを前記通信装置に送信するための通信を含み、
前記通信装置は、前記第二通信により受信した前記画像データから画像を生成し、生成した画像の表示を制御する
付記１〜４のいずれか１項に記載の情報端末。
【０１２６】
［付記６］
上記の実施の形態に記載の通信装置と、
付記１〜５のいずれか１項に記載の情報端末とを備える
通信システム。
【０１２７】
付記１によれば、情報端末は、中継装置を介した通信装置との通信（第一通信）によって、中継装置を介さない直接の通信（第二通信）に必要な情報を取得し、取得した後に、第二通信を接続し、第二通信を用いた処理を実行することができる。すなわち、情報端末によれば、ユーザは、自身の操作によって第二通信に必要な情報を通信装置に入力することなく、ローカルエリアネットワーク内に存在する通信装置との間で第二通信を接続することができる。よって、情報端末は、ユーザにとってより簡易な手法で通信装置との接続を行うことができる。
【０１２８】
また、付記２によれば、情報端末は、第一通信により通信装置から受信した第二通信の接続に必要な情報と、その後の通信装置からの第二通信の接続要求に含まれる情報とを用いて接続の許否を判定する。よって、情報端末は、第一通信を行った相手である通信装置との間で第二通信を接続することができる。
【０１２９】
また、付記３によれば、情報端末は、第一通信により通信装置から受信した第二通信の接続に必要な情報と、その後の通信装置からの第二通信の接続要求に含まれる情報とが一致する場合に、第二通信を接続する。よって、情報端末は、第一通信を行った相手である通信装置との間で確実に第二通信を接続することができる。
【０１３０】
また、付記４によれば、情報端末は、情報端末の初期設定の１つとして第二通信に必要な情報を取得することができる。情報端末の初期設定とは、例えば、ユーザが情報端末を購入した後に行う設定であって、ユーザの自宅のローカルエリアネットワークに情報端末を接続するための設定のことである。
【０１３１】
また、付記５によれば、情報端末は、情報端末が生成した画像データを表示装置に表示させることができる。
【０１３２】
また、付記６により、上記の情報端末又は通信装置と同様の効果を奏する。
【０１３３】
以上、本発明の実施の形態に係る情報端末及び表示制御装置について説明したが、本発明は、この実施の形態に限定されるものではない。
【０１３４】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１３５】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１３６】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１３７】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１３８】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１３９】
また、本発明は、上記コンピュータプログラムまたは上記デジタル信号を、電気通信回線、無線または有線通信回線、インターネットを代表とするネットワーク、データ放送等を経由して伝送するものとしても良い。
【０１４０】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１４１】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１４２】
さらに、上記実施の形態及び上記変形例をそれぞれ組み合わせるとしても良い。
【産業上の利用可能性】
【０１４３】
本発明に係る通信装置は、ユーザにとってより簡易な手法で接続する通信装置に利用可能である。具体的には、携帯電話、スマートフォン、テレビ、セットトップボックス（ＳＴＢ）、及び、これらから構成される通信システムに利用可能である。
【符号の説明】
【０１４４】
１    通信システム
１０    情報端末
２０    表示制御装置
２０Ａ    表示装置
２１    ＣＰＵ
２２    ＲＯＭ
２３    ＲＡＭ
２４    記憶装置
２５    入力装置
２６    ＮＩＣ
２７    映像出力装置
３０    中継装置
３５    インターネット
４０、５０    通信
１０１、２０１    通信制御部
１０２、２０２    受付部
１０３、２０３    記憶部
１０４、２０４    通信部
１０５、２０５    接続情報取得部
１０６、２０６    処理部
２０７    表示制御部
４９１、４９２、５９０、５９１、５９２、７９１    一連の処理
【図１】
2015026917.tif 000003
【図２Ａ】
2015026917.tif 000004
【図２Ｂ】
2015026917.tif 000005
【図３】
2015026917.tif 000006
【図４Ａ】
2015026917.tif 000007
【図４Ｂ】
2015026917.tif 000008
【図５】
2015026917.tif 000009
【図６】
2015026917.tif 000010
【図７】
2015026917.tif 000011
【図８】
2015026917.tif 000012
【図９】
2015026917.tif 000013